【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
１又は２以上のコンピュータ・プロセッサによって実現される方法であって、前記方法は、
ユーザがメンバとなっている複数の異なるステータス・メッセージング・サービスを識別する情報を受信するステップと、
前記ユーザに代わって複数のステータス・メッセージング・サービスにステータス・メッセージを自動的に提出するために、ウェブ・サービスのための事前承認(preauthorization)を受信するステップと、
前記ウェブ・サービスとの前記ユーザによる相互作用を検出するステップと、
前記ウェブ・サービスとの前記ユーザによる検出された相互作用に基づいて、ステータス・メッセージを生成するステップと、
ステータス・メッセージング・サービスの各々に、ステータス・メッセージを提供するステップであって、提供されたステータス・メッセージは、前記ウェブ・サービスの前記ユーザおよび前記ユーザのウェブ・サービス・ステータスによる保証(endorsement)を有する、ステップと、を有し、
受信するステップと、検出するステップと、提供するステップとは、前記１又は２以上のコンピュータ・プロセッサによって実行されることを特徴とする方法。
【請求項２】
前記相互作用は、前記ウェブ・サービスへのログインを含む、ことを特徴とする請求項１に記載の方法。
【請求項３】
前記相互作用は、前記ウェブ・サービスの利用を含む、ことを特徴とする請求項１に記載の方法。
【請求項４】
前記ステータス・メッセージは、デフォルトの保証を提供するように構成される、ことを特徴とする請求項１に記載の方法。
【請求項５】
前記デフォルトの保証は、ユーザ・インターフェース内で前記ユーザによって編集可能である、ことを特徴とする請求項４に記載の方法。
【請求項６】
複数のステータス・メッセージング・サービス中の特別なステータス・メッセージング・サービスは、ソーシャル・ネットワーク・ウェブ・サイト、インスタント・メッセージング・クライアント、またはブログ・サービスのうちの１である、ことを特徴とする請求項１に記載の方法。
【請求項７】
複数の異なるステータス・メッセージング・サービスを識別する情報は、１又は２以上の前記識別されたステータス・メッセージング・サービスのための前記ユーザのログイン情報を有する、ことを特徴とする請求項１に記載の方法。
【請求項８】
前記提供されたステータス・メッセージは、前記保証されたウェブ・サービスと関連するウェブ・ページへのリンクをさらに有する、ことを特徴とする請求項１に記載の方法。
【請求項９】
前記リンクは、パーソナライズされた招待ページのためであり、前記パーソナライズされた招待ページは、前記ユーザを識別し、前記ウェブ・サービスの新しいアカウントを生成するためのオプションを有するユーザ・インターフェースを含むことを特徴とする請求項８に記載の方法。
【請求項１０】
前記前記ウェブ・サービスは、ウェブ・サイトまたはウェブ・アプリケーションである、ことを特徴とする請求項１に記載の方法。
【請求項１１】
実行時に、１又は２以上のコンピュータ・プロセッサに動作を実行させる自身に記憶された命令を有するコンピュータ可読記憶媒体であって、前記動作は、
ユーザがメンバとなっている複数の異なるステータス・メッセージング・サービスを識別する情報を受信するステップと、
前記ユーザに代わって複数のステータス・メッセージング・サービスにステータス・メッセージを自動的に提出するために、ウェブ・サービスのための事前承認(preauthorization)を受信するステップと、
前記ウェブ・サービスとの前記ユーザによる相互作用を検出するステップと、
前記ウェブ・サービスとの前記ユーザによる検出された相互作用に基づいて、ステータス・メッセージを生成するステップと、
ステータス・メッセージング・サービスの各々に、ステータス・メッセージを提供するステップであって、提供されたステータス・メッセージは、前記ウェブ・サービスの前記ユーザおよび前記ユーザのウェブ・サービス・ステータスによる保証(endorsement)を有する、ステップと、を有することを特徴とするコンピュータ可読記憶媒体。
【請求項１２】
前記相互作用は、前記ウェブ・サービスへのログインを含む、ことを特徴とする請求項１１に記載の記憶媒体。
【請求項１３】
前記相互作用は、前記ウェブ・サービスの利用を含む、ことを特徴とする請求項１１に記載の記憶媒体。
【請求項１４】
前記ステータス・メッセージは、デフォルトの保証を提供するように構成される、ことを特徴とする請求項１１に記載の記憶媒体。
【請求項１５】
前記デフォルトの保証は、ユーザ・インターフェース内で前記ユーザによって編集可能である、ことを特徴とする請求項１４に記載の記憶媒体。
【請求項１６】
複数のステータス・メッセージング・サービス中の特別なステータス・メッセージング・サービスは、ソーシャル・ネットワーク・ウェブ・サイト、インスタント・メッセージング・クライアント、またはブログ・サービスのうちの１である、ことを特徴とする請求項１１に記載の記憶媒体。
【請求項１７】
複数の異なるステータス・メッセージング・サービスを識別する情報は、１又は２以上の前記識別されたステータス・メッセージング・サービスのための前記ユーザのログイン情報を有する、ことを特徴とする請求項１１に記載の記憶媒体。
【請求項１８】
前記提供されたステータス・メッセージは、前記保証されたウェブ・サービスと関連するウェブ・ページへのリンクをさらに有する、ことを特徴とする請求項１１に記載の記憶媒体。
【請求項１９】
前記リンクは、パーソナライズされた招待ページのためであり、前記パーソナライズされた招待ページは、前記ユーザを識別し、前記ウェブ・サービスの新しいアカウントを生成するためのオプションを有するユーザ・インターフェースを含むことを特徴とする請求項１８に記載の記憶媒体。
【請求項２０】
前記前記ウェブ・サービスは、ウェブ・サイトまたはウェブ・アプリケーションである、ことを特徴とする請求項１１に記載の記憶媒体。
【請求項２１】
動作を実行するようにプログラムされた１又は２以上のコンピュータ・プロセッサを具備し、
前記動作は、
ユーザがメンバとなっている複数の異なるステータス・メッセージング・サービスを識別する情報を受信するステップと、
前記ユーザに代わって複数のステータス・メッセージング・サービスにステータス・メッセージを自動的に提出するために、ウェブ・サービスのための事前承認(preauthorization)を受信するステップと、
前記ウェブ・サービスとの前記ユーザによる相互作用を検出するステップと、
前記ウェブ・サービスとの前記ユーザによる検出された相互作用に基づいて、ステータス・メッセージを生成するステップと、
ステータス・メッセージング・サービスの各々に、ステータス・メッセージを提供するステップであって、提供されたステータス・メッセージは、前記ウェブ・サービスの前記ユーザおよび前記ユーザのウェブ・サービス・ステータスによる保証(endorsement)を有する、ステップと、を有することを特徴とするシステム。
【請求項２２】
前記相互作用は、前記ウェブ・サービスへのログインを含む、ことを特徴とする請求項２１に記載のシステム。
【請求項２３】
前記相互作用は、前記ウェブ・サービスの利用を含む、ことを特徴とする請求項２１に記載のシステム。
【請求項２４】
前記ステータス・メッセージは、デフォルトの保証を提供するように構成される、ことを特徴とする請求項２１に記載のシステム。
【請求項２５】
前記デフォルトの保証は、ユーザ・インターフェース内で前記ユーザによって編集可能である、ことを特徴とする請求項２４に記載のシステム。
【請求項２６】
複数のステータス・メッセージング・サービス中の特別なステータス・メッセージング・サービスは、ソーシャル・ネットワーク・ウェブ・サイト、インスタント・メッセージング・クライアント、またはブログ・サービスのうちの１である、ことを特徴とする請求項２１に記載のシステム。
【請求項２７】
複数の異なるステータス・メッセージング・サービスを識別する情報は、１又は２以上の前記識別されたステータス・メッセージング・サービスのための前記ユーザのログイン情報を有する、ことを特徴とする請求項２１に記載のシステム。
【請求項２８】
前記提供されたステータス・メッセージは、前記保証されたウェブ・サービスと関連するウェブ・ページへのリンクをさらに有する、ことを特徴とする請求項２１に記載のシステム。
【請求項２９】
前記リンクは、パーソナライズされた招待ページのためであり、前記パーソナライズされた招待ページは、前記ユーザを識別し、前記ウェブ・サービスの新しいアカウントを生成するためのオプションを有するユーザ・インターフェースを含むことを特徴とする請求項２８に記載のシステム。
【請求項３０】
前記前記ウェブ・サービスは、ウェブ・サイトまたはウェブ・アプリケーションである、ことを特徴とする請求項２１に記載のシステム。
【請求項３１】
前記ユーザの前記ウェブ・サービス・ステータスは、前記ユーザが前記ウェブ・サービスを使用していることを示すメッセージである、ことを特徴とする請求項１に記載の方法。
【請求項３２】
前記ユーザの前記ウェブ・サービス・ステータスは、前記ユーザが前記ウェブ・サービスを使用していることを示すメッセージである、ことを特徴とする請求項１１に記載の記憶媒体。
【請求項３３】
前記ユーザの前記ウェブ・サービス・ステータスは、前記ユーザが前記ウェブ・サービスを使用していることを示すメッセージである、ことを特徴とする請求項２１に記載のシステム。